【手続補正書】
【提出日】平成29年4月20日(2017.4.20)
【手続補正１】
【補正対象書類名】特許請求の範囲
【補正対象項目名】全文
【補正方法】変更
【補正の内容】
【特許請求の範囲】
【請求項１】
通信ネットワーク（６００）のユーザ装置（６０５）と通信するための基地局（６０３）における方法であって、前記基地局（６０３）は、少なくとも２つのユーザ装置カテゴリから選択されたユーザ装置カテゴリに従って前記ユーザ装置（６０５）と通信するように構成され、前記方法は、
前記少なくとも２つのユーザ装置カテゴリと、第１のユーザ装置カテゴリに関連付けられる、少なくとも第１の最大ＤＬ  ＭＩＭＯ送信レイヤ数とについての情報を、前記ユーザ装置（６０５）から受信することであって、少なくとも第２の最大ＤＬ  ＭＩＭＯ送信レイヤ数が第２のユーザ装置カテゴリに関連付けられる、ことと（７０１ａ、７０１ｃ、７０１ｄ、９０１）、
前記基地局が前記第１のユーザ装置カテゴリをサポートする場合に、前記第１のユーザ装置カテゴリに対応する最大サポートＤＬ  ＭＩＭＯ送信レイヤ数の指標を前記ユーザ装置へ送信することと（７０２ａ、７０２ｂ、７０２ｄ、８０４）
を含む方法。
【請求項２】
最大サポートＤＬ  ＭＩＭＯ送信レイヤ数の前記指標は、前記第１の最大ＤＬ  ＭＩＭＯ送信レイヤ数より大きくないか、
前記最大サポートＤＬ  ＭＩＭＯ送信レイヤ数の前記指標は、無線リソース制御（ＲＲＣ）プロトコルを介して前記ユーザ装置（６０５）に送信されるか（７０２ａ、７０２ｂ、７０２ｄ、８０４）、及び／又は、
前記第２のユーザ装置カテゴリ及び前記第２の最大ＤＬ  ＭＩＭＯ送信レイヤ数は、ロング・ターム・エボリューション（ＬＴＥ）のリリース８／９に関連付けられ、かつ、前記第１の最大ＤＬ  ＭＩＭＯ送信レイヤ数がＬＴＥのリリース１０に関連付けられる、ことを特徴とする請求項１に記載の方法。
【請求項３】
前記最大サポートＤＬ  ＭＩＭＯ送信レイヤ数まで前記ユーザ装置（６０５）と通信を行うことと（７０３ａ、７０４ｂ、７０２ｃ、７０４ｄ、８０５）、及び／又は、
前記最大サポートＤＬ  ＭＩＭＯ送信レイヤ数に従ったチャネル状態情報を前記ユーザ装置（６０５）から受信することであって、チャネル状態情報は、前記ユーザ装置（６０５）と前記基地局（６０３）との間の無線チャネル（６０４）の状態についての情報を含む、ことと（７０３ｂ、７０３ｄ、８０３）、をさらに備え、
前記最大サポートＤＬ  ＭＩＭＯ送信レイヤ数まで前記ユーザ装置（６０５）と通信を行うこと（７０３ａ、７０４ｂ、７０２ｃ、７０４ｄ、８０５）は、前記基地局（６０３）から前記ユーザ装置（６０５）への方向へのダウンリンク通信であることを特徴とする請求項１又は２に記載の方法。
【請求項４】
通信ネットワーク（６００）の基地局（６０３）と通信するためのユーザ装置（６０５）における方法であって、前記ユーザ装置（６０５）は、少なくとも２つのユーザ装置カテゴリから選択されたユーザ装置カテゴリに従って前記基地局（６０３）と通信するように構成され、前記方法は、
前記少なくとも２つのユーザ装置カテゴリと、第１のユーザ装置カテゴリに関連付けられる、少なくとも第１の最大ＤＬ  ＭＩＭＯ送信レイヤ数とについての情報を、前記基地局（６０３）へ送信することであって、少なくとも第２の最大ＤＬ  ＭＩＭＯ送信レイヤ数が第２のユーザ装置カテゴリに関連付けられる、ことと（７０１ａ、７０１ｃ、７０１ｄ、９０１）、
前記基地局が前記第１のユーザ装置カテゴリをサポートする場合に、前記第１のユーザ装置カテゴリに対応する最大サポートＤＬ  ＭＩＭＯ送信レイヤ数の指標を前記基地局から受信することと（７０２ａ、７０２ｂ、７０２ｄ、８０４）
を含む方法。
【請求項５】
最大サポートＤＬ  ＭＩＭＯ送信レイヤ数の前記指標は、前記第１の最大ＤＬ  ＭＩＭＯ送信レイヤ数より大きくないか、
前記最大サポートＤＬ  ＭＩＭＯ送信レイヤ数の前記指標は、無線リソース制御（ＲＲＣ）プロトコルを介して前記基地局（６０３）から受信されるか（７０２ａ、７０２ｂ、７０２ｄ、９０５）、及び／又は、
前記第２のユーザ装置カテゴリ及び前記第２の最大ＤＬ  ＭＩＭＯ送信レイヤ数は、ロング・ターム・エボリューション（ＬＴＥ）のリリース８／９に関連付けられ、かつ、前記第１の最大ＤＬ  ＭＩＭＯ送信レイヤ数がＬＴＥのリリース１０に関連付けられる、ことを特徴とする請求項４に記載の方法。
【請求項６】
前記最大サポートＤＬ  ＭＩＭＯ送信レイヤ数まで前記基地局（６０３）と通信を行うことと（７０３ａ、７０４ｂ、７０２ｃ、７０４ｄ、９０６）、
前記ユーザ装置（６０５）と前記基地局（６０３）との間で、かつ、前記最大サポートＤＬ  ＭＩＭＯ送信レイヤ数に従った、無線チャネル（６０４）の状態についてのチャネル状態情報を取得することと（７０３ｂ、７０３ｄ、９０３）、及び／又は、
前記基地局（６０３）へ前記チャネル状態情報を送信することと（７０３ｂ、７０３ｄ、９０４）、をさらに備え、
前記最大サポートＤＬ  ＭＩＭＯ送信レイヤ数まで前記基地局（６０３）と通信を行うこと（７０３ａ、７０４ｂ、７０２ｃ、７０４ｄ、９０６）は、前記基地局（６０３）から前記ユーザ装置（６０５）への方向へのダウンリンク通信であることを特徴とする請求項４又は５に記載の方法。
【請求項７】
前記第２の最大ＤＬ  ＭＩＭＯ送信レイヤ数についての前記情報は、前記ユーザ装置（６０５）で予め設定されていることを特徴とする請求項４乃至６のいずれか１項に記載の方法。
【請求項８】
通信ネットワーク（６００）のユーザ装置（６０５）と通信するための基地局（６０３）であって、前記基地局（６０３）は、少なくとも２つのユーザ装置カテゴリから選択されたユーザ装置カテゴリに従って前記ユーザ装置（６０５）と通信するように構成され、前記基地局（６０３）は、
前記少なくとも２つのユーザ装置カテゴリと、第１のユーザ装置カテゴリに関連付けられる、少なくとも第１の最大ＤＬ  ＭＩＭＯ送信レイヤ数とについての情報を、前記ユーザ装置（６０５）から受信するように構成され、少なくとも第２の最大ＤＬ  ＭＩＭＯ送信レイヤ数が第２のユーザ装置カテゴリに関連付けられる、受信部（１００８）と、
前記基地局が前記第１のユーザ装置カテゴリをサポートする場合に、前記第１のユーザ装置カテゴリに対応する最大サポートＤＬ  ＭＩＭＯ送信レイヤ数の指標を前記ユーザ装置（６０５）へ送信するように構成される送信部（１００３）と
を備える基地局。
【請求項９】
前記ユーザ装置（６０５）へ送信される最大サポートＤＬ  ＭＩＭＯ送信レイヤ数の前記指標は、前記第１の最大ＤＬ  ＭＩＭＯ送信レイヤ数より大きくないか、
前記送信部（１００３）は、さらに、前記最大サポートＤＬ  ＭＩＭＯ送信レイヤ数についての前記情報を、無線リソース制御（ＲＲＣ）プロトコルを介して前記ユーザ装置（６０５）に送信するか、及び／又は、
前記第２のユーザ装置カテゴリ及び前記第２の最大ＤＬ  ＭＩＭＯ送信レイヤ数は、ロング・ターム・エボリューション（ＬＴＥ）のリリース８／９に関連付けられ、かつ、前記第１の最大ＤＬ  ＭＩＭＯ送信レイヤ数がＬＴＥのリリース１０に関連付けられる、ことを特徴とする請求項８に記載の基地局。
【請求項１０】
前記最大サポートＤＬ  ＭＩＭＯ送信レイヤ数まで前記ユーザ装置（６０５）と通信を行うように構成された通信部（１００５）を、さらに備え、
前記受信部（１００８）は、さらに、前記最大サポートＤＬ  ＭＩＭＯ送信レイヤ数に従ったチャネル状態情報を前記ユーザ装置（６０５）から受信するように構成され、チャネル状態情報は、前記ユーザ装置（６０５）と前記基地局（６０３）との間の無線チャネル（６０４）の状態についての情報を含み、
前記通信部（１００５）は、前記基地局（６０３）から前記ユーザ装置（６０５）への方向へのダウンリンク通信で、前記最大サポートＤＬ  ＭＩＭＯ送信レイヤ数まで前記ユーザ装置（６０５）と通信を行うように構成されることを特徴とする請求項８又は９に記載の基地局。
【請求項１１】
通信ネットワーク（６００）の基地局（６０３）と通信するためのユーザ装置（６０５）であって、前記ユーザ装置（６０５）は、少なくとも２つのユーザ装置カテゴリから選択されたユーザ装置カテゴリに従って前記基地局（６０３）と通信するように構成され、前記ユーザ装置（６０５）は、
前記少なくとも２つのユーザ装置カテゴリと、第１のユーザ装置カテゴリに関連付けられる、少なくとも第１の最大ＤＬ  ＭＩＭＯ送信レイヤ数とについての情報を、前記基地局（６０３）へ送信するように構成され、少なくとも第２の最大ＤＬ  ＭＩＭＯ送信レイヤ数が第２のユーザ装置カテゴリに関連付けられる、送信部（１１０８）と、
前記基地局が前記第１のユーザ装置カテゴリをサポートする場合に、前記第１のユーザ装置カテゴリに対応する最大サポートＤＬ  ＭＩＭＯ送信レイヤ数の指標を前記基地局から受信するように構成される受信部（１１０１）と
を備えることを特徴とするユーザ装置。
【請求項１２】
前記受信部（１１０１）は、さらに、最大サポートＤＬ  ＭＩＭＯ送信レイヤ数の前記指標を前記基地局（６０３）から受信するように構成され、最大サポートＤＬ  ＭＩＭＯ送信レイヤ数の前記指標は前記第１の最大ＤＬ  ＭＩＭＯ送信レイヤ数より大きくないか、
前記最大サポートＤＬ  ＭＩＭＯ送信レイヤ数の前記指標は、無線リソース制御（ＲＲＣ）プロトコルを介して前記基地局（６０３）から受信されるか、及び／又は、
前記第２のユーザ装置カテゴリ及び前記第２の最大ＤＬ  ＭＩＭＯ送信レイヤ数は、ロング・ターム・エボリューション（ＬＴＥ）のリリース８／９に関連付けられ、かつ、前記第１の最大ＤＬ  ＭＩＭＯ送信レイヤ数がＬＴＥのリリース１０に関連付けられる、ことを特徴とする請求項１１に記載のユーザ装置。
【請求項１３】
前記最大サポートＤＬ  ＭＩＭＯ送信レイヤ数まで前記基地局（６０３）と通信するように構成される通信部（１１０５）と、
前記ユーザ装置（６０５）と前記基地局（６０３）との間で、かつ、前記最大サポートＤＬ  ＭＩＭＯ送信レイヤ数に従った、無線チャネル（６０４）の状態についてのチャネル状態情報を取得するように構成される取得部（１１０９）と、及び／又は、
前記基地局（６０３）へ前記チャネル状態情報を送信するように構成される送信部（１１０８）と、をさらに備え、
前記通信部（１１０５）は、最大サポートＤＬ  ＭＩＭＯ送信レイヤ数まで前記基地局（６０３）と、前記基地局（６０３）から前記ユーザ装置（６０５）への方向へのダウンリンク通信で通信するように構成されることを特徴とする請求項１１又は１２に記載のユーザ装置。
【請求項１４】
前記第２の最大ＤＬ  ＭＩＭＯ送信レイヤ数についての前記情報は、前記ユーザ装置（６０５）で予め設定されていることを特徴とする請求項１１乃至１３の何れか１項に記載のユーザ装置。